(57)【特許請求の範囲】
【請求項１】
複数の監視カメラ、複数のモニタ、上記監視カメラと上記モニタとの接続を切り換えるマルチプレクサおよび上記監視カメラを通信制御線を介して遠隔制御する複数のコントローラを備えており、各コントローラは監視カメラを遠隔制御する際には制御対象である監視カメラのアドレスおよび制御内容を含むコマンドを通信制御線に送出する監視カメラシステムにおいて、
各コントローラは、所定のモニタに映像を提供している監視カメラを制御するに当たって、当該モニタの番号をマルチプレクサに送って、当該モニタに映像を提供している監視カメラのアドレスをマルチプレクサに問い合わせる手段を備えており、
マルチプレクサは、モニタの番号とそのモニタに接続されている監視カメラの接続チャンネル（以下、カメラチャンネルという）との関係を記憶したモニタ番号−カメラチャンネルテーブル、カメラチャンネルとそのカメラチャンネルに接続されている監視カメラのアドレスとの関係を記憶したカメラチャンネル−カメラアドレステーブル、ならびにコントローラからモニタ番号を伴う監視カメラアドレスの問い合わせを受信した際には、カメラチャンネル−モニタ番号テーブルおよびカメラチャンネル−カメラアドレステーブルから、受信したモニタ番号に対応するモニタに映像を提供している監視カメラのアドレスを読み出して、問い合わせ元のコントローラに送信する手段を備えている監視カメラシステム。
【請求項２】
複数の監視カメラ、複数のモニタ、上記監視カメラと上記モニタとの接続を切り換えるマルチプレクサおよび上記監視カメラを通信制御線を介して遠隔制御する複数のコントローラを備えており、各コントローラは監視カメラを遠隔制御する際には制御対象である監視カメラのアドレスおよび制御内容を含むコマンドを通信制御線に送出する監視カメラシステムにおいて、
各コントローラは、各コントローラ毎に予め定められたモニタに映像を提供している監視カメラを制御するに当たって、当該モニタに映像を提供している監視カメラのアドレスをマルチプレクサに問い合わせる手段を備えており、
マルチプレクサは、各コントローラのアドレスとそれに対応するモニタの番号との関係を記憶したコントローラアドレス−モニタ番号テーブル、モニタの番号とそのモニタに接続されている監視カメラの接続チャンネル（以下、カメラチャンネルという）との関係を記憶したモニタ番号−カメラチャンネルテーブル、カメラチャンネルとそのカメラチャンネルに接続されている監視カメラのアドレスとの関係を記憶したカメラチャンネル−カメラアドレステーブル、ならびにコントローラから監視カメラアドレスの問い合わせを受信した際には、コントローラアドレス−モニタ番号テーブル、カメラチャンネル−モニタ番号テーブルおよびカメラチャンネル−カメラアドレステーブルから、問い合わせ元のコントローラに対応するモニタに映像を提供している監視カメラのアドレスを読み出して、問い合わせ元のコントローラに送信する手段を備えている監視カメラシステム。
【請求項３】
上記通信制御線がＲＳ−４８５に基づいた通信制御線である請求項１および２のいずれかに記載の監視カメラシステム。
【発明の詳細な説明】
【０００１】
【発明の属する技術分野】
この発明は、監視カメラシステムに関する。
【０００２】
【従来の技術】
監視カメラシステムとして、図１に示すように、複数の監視カメラ１＿１〜１＿ｍ、複数のスポットモニタ２＿１〜２＿４、監視カメラ１とモニタ２との接続を切り換えるマルチプレクサ３、および複数のコントローラ４＿１〜４＿４を備えたものが知られている。
【０００３】
各コントローラ４＿１〜４＿４は、マルチプレクサ３および各監視カメラ１＿１〜１＿ｍに、ＲＳ−４８５（ＥＩＡ６４８５規格）に基づいた通信制御線５によって接続されている。
【０００４】
各監視カメラ１＿１〜１＿ｍ、マルチプレクサ３および各コントローラ４＿１〜４＿４には、それぞれ個別のアドレス（ＩＤ）が付与されている。アドレスの設定は、たとえば、各機器に設けられたディップスイッチによって行なわれる。
【０００５】
各コントローラ４＿１〜４＿４は、制御しようとする機器のアドレスと制御内容とを含むコマンドをＲＳ−４８５の通信制御線５に送出することにより、指定したアドレスを持つ機器が制御される。
【０００６】
ところで、第１のコントローラ４＿１から、第１のスポットモニタ２＿１に映像を提供している監視カメラを遠隔制御したい場合には、第１のコントローラ４＿１から、当該監視カメラのアドレスと制御内容とを含むコマンドをＲＳ−４８５の通信制御線５に送信する必要がある。このためには、第１のコントローラ４＿１の操作者は、第１のスポットモニタ２＿１に映像を提供している監視カメラがどの監視カメラであるかを調べて、第１のスポットモニタ２＿１に映像を提供している監視カメラのアドレスを確認する必要がある。
【０００７】
【発明が解決しようとする課題】
この発明は、所定のモニタに映像を提供している監視カメラを遠隔制御する際に、その監視カメラのアドレスを操作者が確認する必要がなくなる監視カメラシステムを提供することを目的とする。
【０００８】
【課題を解決するための手段】
この発明による第１の監視カメラシステムは、複数の監視カメラ、複数のモニタ、上記監視カメラと上記モニタとの接続を切り換えるマルチプレクサおよび上記監視カメラを通信制御線を介して遠隔制御する複数のコントローラを備えており、各コントローラは監視カメラを遠隔制御する際には制御対象である監視カメラのアドレスおよび制御内容を含むコマンドを通信制御線に送出する監視カメラシステムにおいて、各コントローラは、所定のモニタに映像を提供している監視カメラを制御するに当たって、当該モニタの番号をマルチプレクサに送って、当該モニタに映像を提供している監視カメラのアドレスをマルチプレクサに問い合わせる手段を備えており、マルチプレクサは、モニタの番号とそのモニタに接続されている監視カメラの接続チャンネル（以下、カメラチャンネルという）との関係を記憶したモニタ番号−カメラチャンネルテーブル、カメラチャンネルとそのカメラチャンネルに接続されている監視カメラのアドレスとの関係を記憶したカメラチャンネル−カメラアドレステーブル、ならびにコントローラからモニタ番号を伴う監視カメラアドレスの問い合わせを受信した際には、カメラチャンネル−モニタ番号テーブルおよびカメラチャンネル−カメラアドレステーブルから、受信したモニタ番号に対応するモニタに映像を提供している監視カメラのアドレスを読み出して、問い合わせ元のコントローラに送信する手段を備えていることを特徴とする。
【０００９】
この発明による第２の監視カメラシステムは、複数の監視カメラ、複数のモニタ、上記監視カメラと上記モニタとの接続を切り換えるマルチプレクサおよび上記監視カメラを通信制御線を介して遠隔制御する複数のコントローラを備えており、各コントローラは監視カメラを遠隔制御する際には制御対象である監視カメラのアドレスおよび制御内容を含むコマンドを通信制御線に送出する監視カメラシステムにおいて、各コントローラは、各コントローラ毎に予め定められたモニタに映像を提供している監視カメラを制御するに当たって、当該モニタに映像を提供している監視カメラのアドレスをマルチプレクサに問い合わせる手段を備えており、マルチプレクサは、各コントローラのアドレスとそれに対応するモニタの番号との関係を記憶したコントローラアドレス−モニタ番号テーブル、モニタの番号とそのモニタに接続されている監視カメラの接続チャンネル（以下、カメラチャンネルという）との関係を記憶したモニタ番号−カメラチャンネルテーブル、カメラチャンネルとそのカメラチャンネルに接続されている監視カメラのアドレスとの関係を記憶したカメラチャンネル−カメラアドレステーブル、ならびにコントローラから監視カメラアドレスの問い合わせを受信した際には、コントローラアドレス−モニタ番号テーブル、カメラチャンネル−モニタ番号テーブルおよびカメラチャンネル−カメラアドレステーブルから、問い合わせ元のコントローラに対応するモニタに映像を提供している監視カメラのアドレスを読み出して、問い合わせ元のコントローラに送信する手段を備えていることを特徴とする。
【００１０】
【発明の実施の形態】
以下、図面を参照して、この発明の実施の形態について説明する。
【００１１】
〔１〕第１の実施の形態の説明
【００１２】
図１は、監視カメラシステムの構成を示している。
【００１３】
監視カメラシステムは、複数の監視カメラ１＿１〜１＿ｍ、複数のスポットモニタ２＿１〜２＿４、監視カメラ１とモニタ２との接続を切り換えるマルチプレクサ３、および複数のコントローラ４＿１〜４＿４を備えている。
【００１４】
各コントローラ４＿１〜４＿４は、マルチプレクサ３および各監視カメラ１＿１〜１＿ｍにＲＳ−４８５（ＥＩＡ６４８５規格）に基づいた通信制御線５によって接続されている。
【００１５】
各監視カメラ１＿１〜１＿ｍ、マルチプレクサ３および各コントローラ４＿１〜４＿４には、それぞれ個別のアドレス（ＩＤ）が付与されている。
【００１６】
マルチプレクサ３の各カメラ接続端子には、カメラチャンネル番号が割り当てられている。マルチプレクサ３の各モニタ接続端子には、モニタチャンネル番号が割り当てられている。マルチプレクサ３は、どのモニタチャンネルにどのカメラチャンネルが接続されているかを把握しており、モニタチャンネル（モニタ番号）と、モニタチャンネルに接続されているカメラチャンネルとの関係を記憶したモニタ番号−カメラチャンネルテーブルを保持している。
【００１７】
また、マルチプレクサ３は、各カメラチャンネルと、各カメラチャンネルに接続されている監視カメラのアドレスとの関係を記憶したカメラチャンネル−カメラアドレステーブルを保持しているものとする。
【００１８】
図２は、任意のコントローラから、所定のスポットモニタに映像を提供している監視カメラを制御する場合の処理手順を示している。
【００１９】
ここでは、第１のコントローラ４＿１から、第１のスポットモニタ２＿１に映像を提供している監視カメラを制御する場合の処理手順について説明する。
【００２０】
まず、第１のコントローラ４＿１の操作者は、第１のコントローラ４＿１に対して、制御したい監視カメラの映像が表示されているスポットモニタのモニタ番号（この例では、第１のスポットモニタ２＿１）のモニタ番号を入力した後、制御したい監視カメラのアドレスをマルチプレクサ３から取得するためのカメラアドレス要求ボタンを押す。
【００２１】
操作者によって、モニタ番号が入力された後、カメラアドレス要求ボタンが押されると（ステップ１）、第１のコントローラ４＿１は、送信元である自己のアドレスと、送信先であるマルチプレクサ３のアドレスと、モニタ番号と、カメラアドレス取得要求とを含むコマンドを通信制御線５に送出する（ステップ２）。
【００２２】
マルチプレクサ３は、第１のコントローラ４＿１からの自己宛の上記コマンドを受信すると、まず、モニタ番号−カメラチャンネルテーブルから、受信したモニタ番号に対応するカメラチャンネルを読み出す。次に、モニタ番号−カメラチャンネルテーブルから読み出したカメラチャンネルに対応するカメラアドレスを、カメラチャンネル−カメラアドレステーブルから読み出す。そして、得られたカメラアドレスと、送信先である第１のコントローラのアドレスとを含むコマンドを通信制御線５に送信する。
【００２３】
第１のコントローラ４＿１は、マルチプレクサ３からの自己宛の上記コマンドを受信すると（ステップ３）、監視カメラに対する制御内容を操作者に入力するための画面を表示する（ステップ４）。
【００２４】
この表示に基づいて、第１のコントローラ４＿１に対して操作者が制御内容を入力すると（ステップ５）、第１のコントローラ４＿１は、送信元である自己のアドレスと、送信先である監視カメラのアドレス（マルチプレクサ３から取得した制御対象のカメラのアドレス）と、操作者によって入力された制御内容とを含むコマンドを通信制御線５に送出する（ステップ６）。
【００２５】
第１のコントローラ４＿１が送信した上記コマンド内の送信先アドレスを持つ監視カメラは、上記コマンドを受信すると、そのコマンド内に含まれる制御内容にしたがって動作を行なう。これにより、第１のスポットモニタ２＿１に映像を提供している監視カメラが遠隔制御される。
【００２６】
〔２〕第２の実施の形態の説明
【００２７】
監視カメラシステムの構成は、図１と同様である。
【００２８】
第２の実施の形態では、たとえば、コントローラとスポットモニタとが、１組ずつ４つの部屋に配置されている場合のように、コントローラ４＿１〜４＿４と、スポットモニタ２＿１〜２＿４とは、予め一対一に対応付けられている。
【００２９】
したがって、各コントローラ４＿１〜４＿４は、どのスポットモニタ２＿１〜２＿４に映像を提供している監視カメラを制御するかは予め決められている。そして、マルチプレクサ３は、モニタ番号−カメラチャンネルテーブルおよびカメラチャンネル−カメラアドレステーブルの他、コントローラのアドレスとモニタ番号との関係を記憶したコントローラアドレス−モニタ番号テーブルを保持している。
【００３０】
図３は、任意のコントローラから、所定のスポットモニタに映像を提供している監視カメラを制御する場合の処理手順を示している。
【００３１】
ここでは、第１のコントローラ４＿１から、第１のスポットモニタ２＿１に映像を提供している監視カメラを制御する場合の処理手順について説明する。
【００３２】
まず、第１のコントローラ４＿１の操作者は、制御したい監視カメラのアドレスをマルチプレクサ３から取得するためのカメラアドレス要求ボタンを押す。
【００３３】
操作者によって、カメラアドレス要求ボタンが押されると（ステップ１１）、第１のコントローラ４＿１は、送信元である自己のアドレスと、送信先であるマルチプレクサ３のアドレスと、カメラアドレス取得要求とを含むコマンドを通信制御線５に送出する（ステップ１２）。
【００３４】
マルチプレクサ３は、第１のコントローラ４＿１からの自己宛の上記コマンドを受信すると、まず、コントローラアドレス−モニタ番号テーブルから、受信したコマンドに含まれている送信元のアドレスに対応するモニタ番号を読み出す。次に、コントローラアドレス−モニタ番号テーブルから読み出したモニタ番号に対応するカメラチャンネルを、モニタ番号−カメラチャンネルテーブルから読み出す。次に、モニタ番号−カメラチャンネルテーブルから読み出したカメラチャンネルに対応するカメラアドレスを、カメラチャンネル−カメラアドレステーブルから読み出す。そして、得られたカメラアドレスと、送信先である第１のコントローラのアドレスとを含むコマンドを通信制御線５に送信する。
【００３５】
第１のコントローラ４＿１は、マルチプレクサ３からの自己宛の上記コマンドを受信すると（ステップ１３）、監視カメラに対する制御内容を操作者に入力するための画面を表示する（ステップ１４）。
【００３６】
この表示に基づいて、第１のコントローラ４＿１に対して操作者が制御内容を入力すると（ステップ１５）、第１のコントローラ４＿１は、送信元である自己のアドレスと、送信先である監視カメラのアドレス（マルチプレクサ３から取得した制御対象のカメラのアドレス）と、操作者によって入力された制御内容とを含むコマンドを通信制御線５に送出する（ステップ１６）。
【００３７】
第１のコントローラ４＿１が送信した上記コマンド内の送信先アドレスを持つ監視カメラは、上記コマンドを受信すると、そのコマンド内に含まれる制御内容にしたがって動作を行なう。これにより、第１のスポットモニタ２＿１に映像を提供している監視カメラが遠隔制御される。
【００３８】
【発明の効果】
この発明によれば、所定のモニタに映像を提供している監視カメラを遠隔制御する際に、その監視カメラのアドレスを操作者が確認する必要がなくなる。
【図面の簡単な説明】
【図１】監視カメラシステムの構成を示すブロック図である。
【図２】任意のコントローラから、所定のスポットモニタに映像を提供している監視カメラを制御する場合の、第１の実施の形態による処理手順を示すフローチャートである。
【図３】任意のコントローラから、所定のスポットモニタに映像を提供している監視カメラを制御する場合の、第２の実施の形態による処理手順を示すフローチャートである。
【符号の説明】
１＿１〜１＿ｍ  監視カメラ
２＿１〜２＿４  スポットモニタ
３  マルチプレクサ
４＿１〜４＿４  コントローラ
５  ＲＳ−４８５の通信制御線
【図１】
0003806632.tif 000002
【図２】
0003806632.tif 000003
【図３】
0003806632.tif 000004